【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
固体撮像装置により撮影された画像を入力する入力手段と、
前記画像の光源を判定する光源判定手段と、
光源を指定する指定手段と、
前記光源判定手段により判定された光源に基づいて、前記指定手段により指定された光源と同じ光源の画像を、前記入力された画像の中から検索する検索手段と
を有することを特徴とする画像処理装置。
【請求項２】
前記検索手段により検索された画像を、検索されたことが判別可能なように管理することを特徴とする請求項１に記載の画像処理装置。
【請求項３】
前記検索手段により検索された画像を、同一のフォルダにまとめることを特徴とする請求項２に記載の画像処理装置。
【請求項４】
前記光源判定手段により判定された前記光源に関する情報を表示するように制御する表示制御手段を更に有することを特徴とする請求項１乃至３のいずれか１項に記載の画像処理装置。
【請求項５】
前記表示制御手段は、前記検索手段により検索された画像に対して、前記光源に関するアイコンを付帯させて表示するように制御することを特徴とする請求項４に記載の画像処理装置。
【請求項６】
前記光源判定手段は複数の光源を候補として選出し、前記表示制御手段は前記複数の光源の候補を可能性の高い順に表示することを特徴とする請求項４に記載の画像処理装置。
【請求項７】
前記検索手段により検索された同じ光源の画像を、当該各画像の画像データから得られるホワイトバランス補正量に基づいて、ホワイトバランス補正を行うホワイトバランス補正手段を更に有することを特徴とする請求項１乃至６のいずれか１項に記載の画像処理装置。
【請求項８】
前記光源判定手段は、
前記画像に光源に関する情報が付加されている場合に、当該付加情報を取得する付加情報取得手段と、
前記付加情報が付加されていない場合に、前記画像の白部分を抽出する抽出手段と、
前記抽出手段により抽出された白部分の画像データに基づいて、前記画像の光源を推定する光源推定手段と
を有することを特徴とする請求項１乃至７のいずれか１項に記載の画像処理装置。
【請求項９】
前記抽出手段は、前記画像を表示するユーザーインターフェイスと、ユーザーが白部分の指定を行うための操作部とを含み、ユーザーによって指定された白部分の画像データもしくはその周辺を含む画像データを抽出することを特徴とする請求項８に記載の画像処理装置。
【請求項１０】
異なる色温度の光源により白色被写体を照明して撮影したときに得られる色評価値と、光源の種類とを関連づけたデータを保持する手段を更に有し、
前記光源推定手段は、前記抽出された白部分の色評価値に最も近似した色評価値を有する光源を、前記画像の光源として推定することを特徴とする請求項８または９に記載の画像処理装置。
【請求項１１】
固体撮像装置により撮影された画像を入力する入力工程と、
光源を指定する指定工程と、
前記画像の光源を判定する光源判定工程と、
前記光源判定工程により判定された光源に基づいて、前記指定工程により指定された光源と同じ光源の画像を、前記入力された画像の中から検索する検索工程と
を有することを特徴とする画像検索方法。
【請求項１２】
前記検索工程により検索された画像を、検索されたことが判別可能なように管理することを特徴とする請求項１１に記載の画像検索方法。
【請求項１３】
前記検索工程により検索された画像を、同一のフォルダにまとめる工程を更に有することを特徴とする請求項１２に記載の画像検索方法。
【請求項１４】
前記光源判定工程により判定された前記光源に関する情報を表示する表示工程を更に有することを特徴とする請求項１１乃至１３のいずれか１項に記載の画像検索方法。
【請求項１５】
前記表示工程では、前記検索工程で検索された画像に対して、前記光源に関するアイコンを付帯させて表示することを特徴とする請求項１４に記載の画像検索方法。
【請求項１６】
前記光源判定工程では複数の光源を候補として選出し、前記複数の光源の候補を可能性の高い順に表示する表示工程を更に有することを特徴とする請求項１１乃至１３のいずれか１項に記載の画像検索方法。
【請求項１７】
前記検索工程において検索された同じ光源の画像を、当該各画像の画像データから得られるホワイトバランス補正量に基づいて、ホワイトバランス補正を行うホワイトバランス補正工程を更に有することを特徴とする請求項１１乃至１６のいずれか１項に記載の画像検索方法。
【請求項１８】
前記光源判定工程は、
前記画像に光源に関する情報が付加されている場合に、当該付加情報を取得する付加情報取得工程と、
前記付加情報が付加されていない場合に、前記画像の白部分を抽出する抽出工程と、
前記抽出工程により抽出された白部分の画像データに基づいて、前記画像の光源を推定する光源推定工程と
を有することを特徴とする請求項１１乃至１７のいずれか１項に記載の画像検索方法。
【請求項１９】
前記抽出工程は、
前記画像を表示する工程と、
ユーザーからの白部分の指定を入力する工程とを含み、
前記指定された白部分の画像データもしくはその周辺を含む画像データを抽出することを特徴とする請求項１８に記載の画像検索方法。
【請求項２０】
前記光源推定工程では、予め記憶された、異なる色温度の光源により白色被写体を照明して撮影したときに得られる色評価値と、光源の種類とを関連づけたデータに基づいて、前記抽出された白部分の色評価値に最も近似した色評価値を有する光源を、前記画像の光源として推定することを特徴とする請求項１８または１９に記載の画像検索方法。
【請求項２１】
情報処理装置が実行可能なプログラムであって、前記プログラムを実行した情報処理装置を、請求項１乃至１０のいずれか１項に記載の画像処理装置として機能させるためのプログラム。
【請求項２２】
情報処理装置に、請求項１１乃至２０のいずれか１項に記載の画像検索方法の各工程を実行させるためのプログラム。
【請求項２３】
請求項２１又は２２に記載のプログラムを格納したことを特徴とする情報処理装置が読み取り可能な記憶媒体。
【手続補正２】
【補正対象書類名】明細書
【補正対象項目名】０００９
【補正方法】変更
【補正の内容】
【０００９】
上記目的を達成するために、本発明の画像処理装置は、固体撮像装置により撮影された画像を入力する入力手段と、前記画像の光源を判定する光源判定手段と、光源を指定する指定手段と、前記光源判定手段により判定された光源に基づいて、前記指定手段により指定された光源と同じ光源の画像を、前記入力された画像の中から検索する検索手段とを有する。
【手続補正３】
【補正対象書類名】明細書
【補正対象項目名】００１０
【補正方法】変更
【補正の内容】
【００１０】
また、本発明の画像検索方法は、固体撮像装置により撮影された画像を入力する入力工程と、光源を指定する指定工程と、前記画像の光源を判定する光源判定工程と、前記光源判定工程により判定された光源に基づいて、前記指定工程により指定された光源と同じ光源の画像を、前記入力された画像の中から検索する検索工程とを有する。
【手続補正４】
【補正対象書類名】明細書
【補正対象項目名】００１３
【補正方法】変更
【補正の内容】
【００１３】
図１は、本発明の実施の形態における画像処理装置の機能構成を示すブロック図である。本実施の形態の画像処理装置は、固体撮像素子を用いて光学像を電気的な画像データに変換して撮影を行う、デジタルスチルカメラやデジタルビデオカメラ等の電子カメラにより得られた画像データを処理する。